(57)【特許請求の範囲】
【請求項１】
脱穀装置（１）を搭載した走行車体（２）の前部に刈取前処理装置（３）を支架し、前記脱穀装置（１）のフィ−ドチェン（４）の搬送始端部側を走行車体（２）に設けた縦方向の支持軸（１１）に取り付けて該フィ−ドチェン（４）の搬送終端部側が脱穀装置（１）から離れる外方へ回動できるように構成すると共に、該刈取前処理装置（３）の供給搬送装置（５ｂ）の終端部から前記フィ−ドチェン（４）の始端部に搬送穀稈の株元を受け渡す株元ガイド（６）をフィ−ドチェン（４）側の取付部材（７）に固着してフィ−ドチェン（４）と共に一体的に外方へ回動できる構成とし、前記刈取前処理装置（３）を左右移動可能に構成するにあたり、固定側の刈取フレ−ム（５４）の前部に支持部材（５５）を横向きに固定し、該支持部材（５５）に伝動フレ−ム（５６）を左右摺動自在に支持させ、複動型の油圧シリンダ−であるスライドシリンダ−（７１）のシリンダ−側とピストン側とを前記固定側の刈取フレ−ム（５４）とスライド側の伝動筒（６８）との間に亘って連結して刈取スライドフレ−ム（５３）をスライドシリンダ−（７１）の伸縮によって走行車体（２）に対して左右にスライドさせるように構成し、該刈取スライドフレ−ム（５３）側に連杆（５１）の基部を連結して該連杆（５１）を前記刈取フレ−ム（５４）側に向けて内方へ延長したのち穀稈搬送通路（５２）の側方を経て更に上方に延長させて供給搬送装置（５０）のＵ字状の杆（７２）に連結して、前記スライドシリンダ−（７１）の伸縮による刈取前処理装置（３）の左右移動に伴って供給搬送装置（５０）が該供給搬送装置（５０）の駆動輪体（７３）の軸芯部を回動支点として左右方向に移動するように構成したことを特徴とするコンバイン。
【発明の詳細な説明】
【０００１】
【発明の属する技術分野】
本発明は、コンバインに関するものである。
【０００２】
【従来の技術】
従来からコンバインの穀稈搬送装置は、刈取前処理装置を構成する穀稈搬送装置の終端部から脱穀装置のフィ−ドチェンに搬送穀稈を受け渡すために、株元ガイドが設けられていた。そして、株元ガイドは、刈取前処理装置側に取付けられて穀稈搬送装置の終端部分に達した受渡し穀稈の株元を、フィ−ドチェンに跨がらせるように案内してフィ−ドチェンに受け継がせる働きをしている。
【０００３】
そして、この穀稈搬送装置は、脱穀装置における扱ぎ深さ調節や刈取装置側の刈取スライドに関連して上下、左右に移動する構成になっていた。
【０００４】
【発明が解決しようとする課題】
従来の刈取前処理装置を構成する穀稈搬送装置は、上述したように、上下、左右に移動調節される構成になっているから、これに固着されている株元ガイドも一体となって移動することになる。すると、株元ガイドは、搬送穀稈を受け渡すフィ−ドチェン始端部との引継位置が狂って適確な受渡しができない問題点があった。
【０００５】
さらに、株元ガイドは、メンテナンスの容易化を目的としてフィ−ドチェンを外方に回動するフィ−ドチェンオ−プン方式の脱穀装置においては、オ−プン回動するフィ−ドチェンに干渉して衝突し、折り曲がる等の課題があった。
【０００６】
【課題を解決するための手段】
本発明は、上述した課題を解決するために次の如き技術手段を講ずるものである。
【０００７】
すなわち、脱穀装置（１）を搭載した走行車体（２）の前部に刈取前処理装置（３）を支架し、前記脱穀装置（１）のフィ−ドチェン（４）の搬送始端部側を走行車体（２）に設けた縦方向の支持軸（１１）に取り付けて該フィ−ドチェン（４）の搬送終端部側が脱穀装置（１）から離れる外方へ回動できるように構成すると共に、該刈取前処理装置（３）の供給搬送装置（５ｂ）の終端部から前記フィ−ドチェン（４）の始端部に搬送穀稈の株元を受け渡す株元ガイド（６）をフィ−ドチェン（４）側の取付部材（７）に固着してフィ−ドチェン（４）と共に一体的に外方へ回動できる構成とし、前記刈取前処理装置（３）を左右移動可能に構成するにあたり、固定側の刈取フレ−ム（５４）の前部に支持部材（５５）を横向きに固定し、該支持部材（５５）に伝動フレ−ム（５６）を左右摺動自在に支持させ、複動型の油圧シリンダ−であるスライドシリンダ−（７１）のシリンダ−側とピストン側とを前記固定側の刈取フレ−ム（５４）とスライド側の伝動筒（６８）との間に亘って連結して刈取スライドフレ−ム（５３）をスライドシリンダ−（７１）の伸縮によって走行車体（２）に対して左右にスライドさせるように構成し、該刈取スライドフレ−ム（５３）側に連杆（５１）の基部を連結して該連杆（５１）を前記刈取フレ−ム（５４）側に向けて内方へ延長したのち穀稈搬送通路（５２）の側方を経て更に上方に延長させて供給搬送装置（５０）のＵ字状の杆（７２）に連結して、前記スライドシリンダ−（７１）の伸縮による刈取前処理装置（３）の左右移動に伴って供給搬送装置（５０）が該供給搬送装置（５０）の駆動輪体（７３）の軸芯部を回動支点として左右方向に移動するように構成したことを特徴とするコンバインとしたものである。
【０００８】
【発明の効果】
本発明は上述のごとく構成したものであるから、株元ガイド６は、扱ぎ深さの調節や刈取スライドに関連して刈取前処理装置３側の供給搬送装置５ｂが上下、左右に移動してもフィ−ドチェン４始端部との受け継ぎ位置は変化することはなく、確実に搬送穀稈の受け継ぎ案内ができる。更に、穀稈ガイド６は、オ−プン回動するフィ−ドチェン４と一体に回動するから、従来のように、オ−プン回動するフィ−ドチェン４に干渉することはなく、折れ曲がりや破損を未然に防止できる。
【０００９】
また、刈取前処理装置３の左右移動によって刈取スライドフレ−ム５３に連動されて供給搬送装置５０が移動して前側の穀稈掻込用の穀稈搬送装置との穀稈の受け継ぎを確実に行うことができるものでありながら、このように供給搬送装置５０を移動させる連杆５１を穀稈搬送通路５２を搬送されている穀稈に支障を与えにくいものとすることができる。
【００１０】
【発明の実施の形態】
以下、図面に基づいて、本発明の実施例を具体的に説明する。
まず、その構成について述べる。
【００１１】
走行車体２は、ゴム材を素材として成型したクロ−ラ８を駆動スプロケット９と複数の遊動転輪１０とに巻回し、乾田はもちろんのこと、湿田においても沈下しないで走行できる構成としている。そして、脱穀装置１は、フィ−ドチェン４を有し、上側に扱胴を軸架した扱室を配置し下側に選別室を設け、供給された刈取穀稈を脱穀選別する構成として走行車体２上に搭載している。
【００１２】
そして、フィ−ドチェン４は、その搬送始端部を走行車体２に設けた縦方向の支持軸１１に取り付け、搬送終端部側が脱穀装置１から離れる方向に回動する構成（本明細書では、この構成を「フィ−ドチェンオ−プン」と称する）としている。
【００１３】
つぎに、刈取前処理装置３は、走行車体２の前部に設けた支持台１２に、前方下方へ延長した刈取フレ−ム１３の後部を回動自由に枢着して、この刈取フレ−ム１３に刈取装置１４や穀稈搬送装置５を装着して構成している。すなわち、刈取前処理装置３は、前端下部に穀稈分草杆１５を、その背後に傾斜状にした穀稈引起し装置１６を、その後方低部には刈取装置１４を、更に、その刈取装置１４の近傍から前述のフィ−ドチェン９の始端部に臨ませた穀稈搬送装置５を配置して前記した刈取フレ−ム１３に取り付けて伝動可能に構成している。
【００１４】
そして、穀稈搬送装置５は、刈取装置１４の近傍位置に設けた掻込搬送装置５ａとその後方に配置して扱深調節ができる構成にした供給搬送装置５ｂとから構成している。しかして、刈取装置１４で刈取られた穀稈は、前部の掻込搬送装置５ａによって搬送され、その終端部から供給搬送装置５ｂに受け継がれて更に、後方上部に搬送され、その終端部から脱穀装置１のフィ−ドチェン４に受け継ぎ搬送される構成となっている。
【００１５】
そして、株元ガイド６は、供給搬送装置５ｂの終端部とフィ−ドチェン４の始端部との間にあって、供給搬送装置５ｂの終端部にある受継穀稈の株元をフィ−ドチェン４の始端部を跨らせるように案内する機能を有し、しかも、フィ−ドチェン４側の取付部材７に固着して構成している。
【００１６】
このように、株元ガイド６は、図１に示すように、フィ−ドチェン４側の取付部材７に固着しているから、扱ぎ深さの調節や刈取スライドに関連して供給搬送装置５ｂが移動してもフィ−ドチェン４との関係位置は変化せず、フィ−ドチェンオ−プンに際してはフィ−ドチェン４と一体に回動する構成になっている。
【００１７】
別実施例１
つぎに、図４乃至図６に基づいて別実施例１を説明する。
別実施例１は、刈取スライドの構成における供給搬送装置５０を連動する連杆５１を穀稈搬送通路５２を回避した位置に配置して、搬送穀稈に支障なく連動する構成を提供せんとするものである。
【００１８】
刈取スライドフレ−ム５３は、刈取フレ−ム５４の前部に横向きに固定した支持部材５５に、伝動フレ−ム５６を左右方向に摺動するスライド自由の状態に支持させて構成している。そして、摺動軸５７は、前記伝動フレ−ム５６内に軸受し、中間位置には刈取伝動軸５８の端部に軸着した傘歯車５９に噛合した傘歯車６０を遊嵌状態に嵌合し、摺動自由で伝動のみ可能に構成し、一方側には、引起伝動傘歯車６１と刈取駆動傘歯車６２とを軸着し、他方側には、搬送伝動傘歯車６３と刈取駆動傘歯車６４とを軸着している。
【００１９】
そして、引起し伝動軸６５は、下部に前記引起伝動傘歯車６１に噛合する引起し歯車６６を軸着して上方に延長して穀稈引起し装置を伝動する構成としている。  そして、搬送伝動軸６７は、伝動フレ−ム５６に固着した伝動筒６８に内装し、下端に軸着した伝動傘歯車６９を前記搬送伝動傘歯車６３に噛合させ、上端の伝動プ−リ−６９を介して穀稈掻込用の穀稈搬送装置７０を伝動する構成としている。
【００２０】
そして、スライドシリンダ−７１は、複動型の油圧シリンダ−を用いており、一方（シリンダ−の端部）を固定側の刈取フレ−ム５４に連結し、他方（ピストン側の端部）をスライド側の伝動筒６８に連結して設け、左右に形成されたシリンダ−室に交互にオイルを供給することによって伸縮する構成としている。
【００２１】
したがって、刈取スライドフレ−ム５３は、スライドシリンダ−７１が油圧操作にともなって伸縮することにより走行車体に対して左右にスライドする構成となっている。
【００２２】
そして、連杆５１は、基部を刈取スライドフレ−ム５３側に連結し、刈取フレ−ム５４側に延長し、穀稈搬送通路５２の側方を経て、更に、上方に延長し、供給搬送装置５０を構成するＵ字杆７２に連結している。そして、供給搬送装置５０は、上部の駆動輪体７３の軸芯部を回動支点とし、刈取スライドにともなって連動される連杆５１を介してスライド方向に移動する構成としている。なお、供給搬送装置５０は、上記した連動によって穀稈掻込用の穀稈搬送装置７０との受け継ぎ位置を狂わさないようになっている。７４は刈取装置である。
【００２３】
以上のように、別実施例１は、刈取スライドによって左右に移動する刈取スライドフレ−ム５３に連動されて供給搬送装置５０が移動して、前側の穀稈掻込用の穀稈搬送装置７０との穀稈の受け継ぎを確実に行うものでありながら、連杆５１が、穀稈搬送通路５２を搬送されている穀稈に何らの支障も与えることがない特徴を有するものである。
【００２４】
別実施例２
つぎに、図７及び図８に基づいて別実施例２を説明する。
穀稈供給搬送装置８０は、株元搬送チエン８０ａと穂先搬送ラグ８０ｂとから構成され、脱穀装置８１の扱深さ調節や刈取スライドに関連して先端側が上下、左右に移動調節する構成になっている。そして、前部穀稈搬送装置８２は、刈取装置８３によって刈り取った穀稈を掻き込んで集めながら後方へ搬送して上記穀稈供給搬送装置８０に受け渡す機能を発揮するように構成されている。
【００２５】
そして、引継案内板８４は、ゴムを素材として板状に形成し、横向きにスリットを形成して前述した前部穀稈搬送装置８２の終端部分に、穀稈を稈身に沿って案内できるように縦方向にして穀稈通路８５の左右両側に臨ませて設けている。
【００２６】
以上のように、引継案内板８４は、前部穀稈搬送装置８２が終端部分まで搬送してきた穀稈を左右両側から案内保持して確実に後方の穀稈供給搬送装置８０に受け継がせることができる。この引継案内板８４は、従来の鉄板やばね材等の構成に比較して、ゴムを素材として構成しているから、後側の穀稈供給搬送装置８０が扱ぎ深さの調節や刈取スライドに関連して移動して接触してもゴムの特性によって吸収でき、破損することがない。また、引継案内板８４は、引継時の稈こぼれや稈のあふれ出しを未然に防止して円滑な引継作用を行うことができる特徴を有する。
【００２７】
別実施例３
つぎに、別実施例３を図９乃至図１２に基づいて説明する。
別実施例３は、穀稈引起し装置９０と脱穀装置９１との間に架け渡して設けた防塵カバ−９２に関するものである。
【００２８】
防塵カバ−９２は、前部にあって定位置に固定している前部カバ−９２ａと、その後部にあって前部カバ−９２ａ上を前後に移動できる後部カバ−９２ｂとから構成し、穀稈搬送装置の上方を覆う構成としている。そして、案内ロ−ラ−９３は、メインフレ−ム９４の両外側に軸架して後部カバ−９２ｂの案内レ−ル９５を案内できる構成としている。そして、案内レ−ル９５は、図１０に示すように、案内ロ−ラ−９３の上側、下側、両側を囲んだ構成にしている。９６は前後に設けた係止装置を示し、開放位置と被覆位置と後部カバ−９２ｂを係止保持できる構成としている。
【００２９】
図９に示すように、従来装置の後部カバ−９２ｂにおける案内レ−ル９５は、案内ロ−ル９３に対して上側と外側のみで案内される構成であったから、移動中はもちろんのこと、停止中においても保持機能がなく、きわめて不安定な状態になっていた。
【００３０】
それに対して、別実施例３の後部カバ−９２ｂは、上述のように案内レ−ル９５によって案内ロ−ラ−９３を上側と下側と左右両側から囲んで保持した構成にしているから、強固に支持された状態で前後移動、停止保持ができる特徴を有する。また、防塵カバ−９２は、前部にあって定位置に固定している前部カバ−９２ａと、その後部にあって前部カバ−９２ａ上を前後に移動できる後部カバ−９２ｂとの間隔が狭くなり、両者をコンパクトにまとめるた構成になった利点も併せて有するものである。
【００３１】
つぎにその作用について説明する。
まず、エンジンを始動して機体の回転各部を駆動しながら、走行車体４を前進すると、圃場の穀稈は、前端下部の穀稈分草杆１５によって分草作用を受け、次いで穀稈引起し装置１６の引起し作用によって倒伏状態から直立状態に引き起こされ、株元が刈取装置１４に達して刈り取られ、掻込搬送装置５ａによって挾持されて順次連続状態で上方に搬送される。
【００３２】
このようにして、穀稈は、掻込搬送装置５ａから供給搬送装置５ｂに受け継がれて終端部分に達すると、株元ガイド６の案内作用を受けながらフィ−ドチェン４の始端部に受け継がれ、株元が挟扼された状態で搬送されながら、穂先部分が扱室内に挿入されて通過し、回転されている扱胴によって脱穀される。そして、脱穀処理物は、下方の選別室に達して選別風と揺動選別装置の作用を受けて選別処理されるものである。
【００３３】
以上のように、コンバインは、連続的に刈取脱穀作業を行い、脱穀選別した穀粒を収穫してグレンタンクに収集貯留する。
さて、このような作業中において、刈取前処理装置３は、扱深さの自動調節や刈取スライドを行いながら前進しており、供給搬送装置５ｂの終端部分とフィ−ドチェン４の始端部分との受継位置が微妙に変化している。しかしながら、株元ガイド６は、フィ−ドチェン４側の取付部材７に固着しているから、フィ−ドチェン４との関係位置が狂うことがなく、確実に株元の受継案内を行うことができる。
【００３４】
また、株元ガイド６は、図１で明らかなとおり、フィ−ドチェン４や扱室前側の清掃等のメンテナンスを行うために、支持軸１１を回動支点にしてフィ−ドチェンオ−プンをすると、フィ−ドチェン４と一体に回動して、従来型の欠陥を解消できた効果も併せて有するものである。
【図面の簡単な説明】
【図１】  本発明の実施例であって、作用平面図である。
【図２】  本発明の実施例であって、側面図である。
【図３】  本発明の実施例であって、側面図である。
【図４】  本発明の別実施例１であって、概略平面図である。
【図５】  本発明の別実施例１であって、切断展開図である。
【図６】  本発明の別実施例１であって、斜面図である。
【図７】  本発明の別実施例２であって、平面図である。
【図８】  本発明の別実施例２であって、側面図である。
【図９】  説明用の従来型正断面図である。
【図１０】  本発明の別実施例３であって、正断面図である。
【図１１】  本発明の別実施例３であって、平面図である。
【図１２】  本発明の別実施例３であって、作用側面図である。
【符号の説明】
１    脱穀装置
２    走行車体
３    刈取前処理装置
４    フィ−ドチェン
５    穀稈搬送装置
５ｂ  供給搬送装置
６    株元ガイド
７    取付部材
１１ 支持軸
５０ 供給搬送装置
５１    連杆
５２    穀稈搬送通路
５３    刈取スライドフレーム
５４ 刈取フレ−ム
５５ 支持部材
５６ 伝動フレ−ム
６８ 伝動筒
７１ スライドシリンダ−
７２ Ｕ字杆（Ｕ字状の杆）
７３ 駆動輪体
【図１】
0003671550.tif 000002
【図２】
0003671550.tif 000003
【図３】
0003671550.tif 000004
【図４】
0003671550.tif 000005
【図５】
0003671550.tif 000006
【図６】
0003671550.tif 000007
【図７】
0003671550.tif 000008
【図８】
0003671550.tif 000009
【図９】
0003671550.tif 000010
【図１０】
0003671550.tif 000011
【図１１】
0003671550.tif 000012
【図１２】
0003671550.tif 000013